(57)【要約】  電気コネクタは、外側コンタクトおよびキャビティインサートを含む。キャビティインサートは、外側コンタクトの中間部を取り囲む。キャビティインサートは、境界面（１９４）でともに結合された上部シェル（１８８）および下部シェル（１９０）によって画定される。上部シェルは、外側コンタクトの周囲の一部分に沿って延び、下部シェルは、外側コンタクトの周囲の残り部分に沿って延びる。上部シェルは、境界面を横切って延びる第１のストラップ（２１８）を含む。第１のストラップは、下部シェルの対応する第１の止め面（２８４）に係合して上部シェルを下部シェルに結合する掛止面を含む。【選択図】図３
2019508859.tif 000002
【特許請求の範囲】
【請求項１】
嵌合部（１５０）、終端部（１５２）、および前記嵌合部（１５０）と前記終端部（１５２）との間に位置する中間部（１５６）を有する外側コンタクト（１３６）であって、前記嵌合部が、相手コネクタ（１０２）の相手コンタクトに係合するように構成され、前記終端部が、ケーブル（１１６）に電気的に接続するように構成される、外側コンタクト（１３６）と、
前記外側コンタクトを受け取るチャネル（１６６）を画定するキャビティインサート（１３８）とを備え、前記キャビティインサートが、前記外側コンタクトの前記中間部を取り囲み、前記キャビティインサートが、境界面（１９４）でともに結合される上部シェル（１８８）および下部シェル（１９０）によって画定され、前記上部シェルが、前記外側コンタクトの周囲の一部分に沿って延び、前記下部シェルが、前記外側コンタクトの周囲の残り部分に沿って延び、前記上部シェルが、前記境界面を横切って延びる第１のストラップ（２１８）を含み、前記第１のストラップが、前記下部シェルの対応する第１の止め面（２８４）に係合して前記上部シェルを前記下部シェルに結合する掛止面（２２０）を含む、電気コネクタ（１０４）。
【請求項２】
前記上部シェル（１８８）は、第１の肩部（２７２）と第２の肩部（２７４）との間に延びる湾曲した本体（２０２）を有し、前記第１の肩部および前記第２の肩部は、前記境界面（１９４）で前記下部シェル（１９０）の対応する肩部（２９４、２９２）に係合し、前記第１のストラップ（２１８）は、前記第１の肩部に近接して配置され、前記第１の肩部を越えて前記下部シェルの方へ延び、前記上部シェルは、前記第２の肩部に近接して前記上部シェルの外面（２１６）から延びる第１の止め面（２２２）をさらに含み、前記第１の止め面は、前記下部シェルの第１のストラップ（２４８）の対応する掛止面（２５０）に係合して、前記上部シェルを前記下部シェルに結合する、請求項１に記載の電気コネクタ（１０４）。
【請求項３】
前記上部シェル（１８８）は、前記下部シェル（１９０）と同一の形状を有し、前記下部シェルは、前記チャネル（１６６）に対して平行である嵌合軸（１１２）の周りで前記上部シェルに対して１８０度に向けられている、請求項１に記載の電気コネクタ（１０４）。
【請求項４】
前記下部シェル（１９０）は、第１の肩部（２９２）と第２の肩部（２９４）との間に延びる湾曲した本体（２０４）を有し、前記下部シェルの前記第１の止め面（２８４）は、前記第２の肩部に近接して前記下部シェルの外面（２４６）から延び、前記第１の止め面は、前記外面の平面領域（２８６）に沿って位置し、前記第１の止め面は、前記外面から前記チャネル（１６６）に対して外方に突出するタブ（２９６）のフック面または前記外面から前記チャネルに対して内方に延びる凹部（３１６）の壁のうちの少なくとも１つによって画定されている、請求項１に記載の電気コネクタ（１０４）。
【請求項５】
前記上部シェル（１８８）の前記第１のストラップ（２１８）は、カンチレバー式であり、自由端（３０２）まで延びており、前記第１のストラップは、前記チャネル（１６６）の方を向いている内側面（２５４）と、反対側の外側面（２５６）とを含み、前記第１のストラップは、前記第１のストラップを通って前記内側面と前記外側面との間に開口（２７８）を画定し、前記掛止面（２２０）は、前記第１のストラップの前記自由端に近接している前記開口の遠位壁である、請求項１に記載の電気コネクタ（１０４）。
【請求項６】
前記上部シェル（１８８）の前記第１のストラップ（２１８）は、カンチレバー式であり、固定端（２７６）から自由端（３０２）まで延びており、前記第１のストラップは、前記チャネル（１６６）の方を向いている内側面（３２０）を含み、前記第１のストラップは、前記第１のストラップの前記内側面から突出するタブ（３１８）を含み、前記第１のストラップの前記掛止面（２２０）は、概ね前記ストラップの前記固定端（２７６）の方を向いている前記タブの表面である、請求項１に記載の電気コネクタ（１０４）。
【請求項７】
前記キャビティインサート（１３８）は、前端（２６４）と後端（２６６）との間に延び、前記上部シェル（１８８）の前記第１のストラップ（２１８Ａ）は、前記キャビティインサートの前記前端に近接して配置され、前記上部シェルは、前記キャビティインサートの前記後端に近接している第２のストラップ（２１８Ｂ）をさらに含み、前記第２のストラップは、前記境界面（１９４）を横切って延び、前記第２のストラップは、前記下部シェル（１９０）の対応する第２の止め面（２８４Ｂ）に係合する掛止面（２２０）を含む、請求項１に記載の電気コネクタ（１０４）。
【請求項８】
前記外側コンタクト（１３６）の前記中間部（１５６）は、前記中間部から径方向外方に延びる突起（２６０）を含み、前記キャビティインサート（１３８）は、前記チャネル（１６６）を画定する前記キャビティインサート（１３８）の内面（２４４）に沿ってくぼみ（２６２）を画定し、前記突起は、前記上部シェル（１８８）および前記下部シェル（１９０）がともに結合されるとき、前記くぼみ内に受け取られて、前記外側コンタクトを前記キャビティインサート内に固定する、請求項１に記載の電気コネクタ（１０４）。
【請求項９】
前記上部シェル（１８８）は、第１の縁部（２０６）と第２の縁部（２０８）との間に延びる湾曲した本体（２０２）を有し、前記第１の縁部および前記第２の縁部は、前記キャビティインサート（１３８）の長さにわたって前記キャビティインサート（１３８）の前端（２６４）と後端（２６６）との間に延び、前記上部シェルは、前記第１の縁部から前記境界面（１９４）を横切って突出する複数のストラップ（２１８）を含み、前記ストラップは、前記キャビティインサートの前記長さに沿って隔置され、前記ストラップは、前記下部シェル（１９０）の対応する止め面（２８４）に係合する掛止面（２２０）を含み、前記上部シェルは、前記第２の縁部に近接して前記上部シェルの外面（２１６）から延びる複数のタブ（２２４）をさらに含み、前記上部シェルの前記タブは、前記キャビティインサートの前記長さに沿って隔置され、前記上部シェルの前記タブは、前記下部シェルの対応するストラップ（２４８）に係合するそれぞれのフック面（２２２）を含む、請求項１に記載の電気コネクタ（１０４）。
【請求項１０】
前記上部シェル（１８８）および前記下部シェル（１９０）は、一体型の本体（２０２、２０４）を有している、請求項１に記載の電気コネクタ（１０４）。
【発明の詳細な説明】
【技術分野】
【０００１】
本明細書の主題は、一般に、コネクタアセンブリに関する。全地球測位システム（ＧＰＳ）、アンテナ、無線機、移動電話、マルチメディアデバイスなど、軍事適用分野および自動車適用分野を含む多数の適用分野に対して、無線周波（ＲＦ）コネクタアセンブリが使用されてきた。コネクタアセンブリは、典型的には、同軸ケーブルの端部に設けられる同軸ケーブルコネクタである。
【背景技術】
【０００２】
様々なタイプのコネクタアセンブリ、特にそのようなコネクタアセンブリに対するインターフェースを標準化するために、特定の業界標準が確立されてきた。これらの標準の１つは、ＦＡＫＲＡと呼ばれており、これはドイツ語のＦａｃｈｎｏｒｍｅｎａｕｓｓｃｈｕｓｓ  Ｋｒａｆｔｆａｈｒｚｅｕｇｉｎｄｕｓｔｒｉｅの省略形である。ＦＡＫＲＡは、ドイツ標準化機構内の自動車標準化委員会であり、自動車分野における国際標準化の利益を代表する。ＦＡＫＲＡ標準は、適切なコネクタの取付けのためのキーイングおよび色コーディングに基づくシステムを提供する。ＦＡＫＲＡコネクタ内では、特有のジャックキーだけを同様のプラグキー溝に接続することができる。
ジャックまたは第１のアセンブリのハウジングに位置するＦＡＫＲＡ規定の止め面と、プラグまたは第２のアセンブリのハウジングに位置する協働ラッチとによって、コネクタハウジングの確実な位置決めおよびロッキングが容易になる。
【０００３】
コネクタアセンブリは、典型的には、相手コネクタに結合するための嵌合インターフェースを有するハウジングを含む。ハウジングは、相手コネクタの対応する相手コンタクトに電気的に接続するコンタクトアセンブリを保持する。コンタクトアセンブリのキャビティインサートは、典型的には、相手コネクタがハウジングに嵌合されるとき、またはハウジングから嵌合解除されるとき、コンタクトアセンブリが外れないように、コンタクトアセンブリをハウジング内で固定するために使用される。キャビティインサートは、コンタクトアセンブリの外側コンタクトとハウジングの内側部分との両方に係合するアダプタである。キャビティインサートにより、コンタクトアセンブリを様々な異なるハウジングに適合させることが可能になる。
【発明の概要】
【発明が解決しようとする課題】
【０００４】
典型的には、キャビティインサートは円筒形であり、キャビティインサートを外側コンタクトの端部の上へ滑り込ませることによって、外側コンタクトの上に装着される。たとえば、キャビティインサートは、外側コンタクトの前端より小さい直径を有する外側コンタクトの後端の上へ装着することができる。しかし、いくつかのコネクタでは、キャビティインサートを外側コンタクトの端部の上へ滑り込ませることは、実行可能でないことがあり、または少なくとも望ましくないことがある。たとえば、いくつかの知られている外側コンタクトは、外側コンタクトの後端で比較的大きいケーブルに電気的に接続するように構成されており、したがって外側コンタクトの後端は、キャビティインサート内に受け取るには大きすぎることがある。
ハウジング内の間隔制限により、外側コンタクトの大きい後端を収容するためにキャビティインサートを大きくすることは可能でないことがある。さらに、いくつかの知られている外側コンタクトは、キャリアストリップに形成されており、外側コンタクトをキャリアストリップに取り付けたまま、コンタクトアセンブリを組み立てることができる。外側コンタクトの後端がキャビティインサート内に受け取るのに十分に小さい場合でも、後端はキャリアストリップに固定されていることがあり、それによりキャビティインサートを後端の上へ装着することができなくなる。
【課題を解決するための手段】
【０００５】
この問題に対する解決策は、ハウジング内の空間制限およびあらゆる該当する業界標準仕様に準拠しながら様々な外側コンタクトを収容することが可能である本明細書に開示の電気コネクタによって提供される。電気コネクタは、外側コンタクトおよびキャビティインサートを含む。外側コンタクトは、嵌合部、終端部、および嵌合部と終端部との間に位置する中間部を有する。嵌合部は、相手コネクタの相手コンタクトに係合するように構成される。終端部は、ケーブルに電気的に接続するように構成される。キャビティインサートは、外側コンタクトを受け取るチャネルを画定する。キャビティインサートは、外側コンタクトの中間部を取り囲む。キャビティインサートは、境界面でともに結合された上部シェルおよび下部シェルによって画定される。
上部シェルは、外側コンタクトの周囲の一部分に沿って延び、下部シェルは、外側コンタクトの周囲の残り部分に沿って延びる。上部シェルは、境界面を横切って延びる第１のストラップを含む。第１のストラップは、下部シェルの対応する第１の止め面に係合して上部シェルを下部シェルに結合する掛止面を含む。
【０００６】
本発明について、添付の図面を参照して例として次に説明する。
【図面の簡単な説明】
【０００７】
【図１】例示的な実施形態によって形成されるコネクタシステムを示す図である。
【図２】一実施形態によるコネクタシステムのメスコネクタおよびケーブルの分解図である。
【図３】一実施形態によるメスコネクタのコンタクトアセンブリの斜視分解図である。
【図４】一実施形態による組み立てられた状態にあるコンタクトアセンブリの側面斜視図である。
【図５】図２に示す線５−５に沿って切り取ったメスコネクタのキャビティインサートの分解断面図である。
【図６】線５−５に沿って切り取ったキャビティインサートおよび外側コンタクトの組立て断面図である。
【図７】代替実施形態による組み立てられたキャビティインサートの一部分の断面図である。
【発明を実施するための形態】
【０００８】
本明細書に記載する１つまたは複数の実施形態は、第１のコネクタおよび第２のコネクタを含むコネクタシステムを開示する。第１のコネクタまたは第２のコネクタのうちの少なくとも１つは、外側コンタクトと、外側コンタクトを取り囲むキャビティインサートとを含む。キャビティインサートは、外側コンタクトとコネクタの外側ハウジングとの間に延び、外側コンタクト（および外側コンタクト内に位置しかつ／または外側コンタクトに結合されたあらゆる構成要素）を、外側ハウジングに対して固定された位置で保持する。キャビティインサートは、ともに結合されてキャビティインサートを画定する２つのシェルから形成されたツーピース構造を有する。２つのシェルは、互いの方へ動かされ、２つのシェル間に外側コンタクトが位置する状態でともに結合される。したがって、キャビティインサートは、外側コンタクトを取り囲むために、外側コンタクトの端部の上に軸方向に装着されるのではない。
【０００９】
２つのシェルは、掛止装置によって互いに結合される。掛止装置は、一方のシェルから他方のシェルの方へ延びる少なくとも１つのストラップと、他方のシェルに位置し、ストラップの掛止面に係合する止め面とを含む。掛止装置は、複数のストラップおよび対応する止め面を含むことができる。任意選択で、各シェルは、両性型とすることができ、少なくとも１つの止め面と少なくとも１つの掛止ストラップとの両方を含む。一実施形態では、各シェルの掛止構成要素（たとえば、掛止ストラップおよび止め面）が、成形プロセス中などにそれぞれのシェルに一体形成される。さらに、２つのシェルは、互いに同一の形状を有することができ、したがって同じ成形型またはプロセスを使用して、両方のシェルを形成することができ、これらのシェルを結合してキャビティインサートを形成する。
【００１０】
本明細書では、「取り囲む」という用語は、物体の長さの一部分に沿って物体を取り囲むことなど、少なくとも１つの次元において別の物体の周辺部の周りに延びることを意味する。本明細書では、「取り囲む」という用語は、すべての次元において物体を取り囲むことによって、取り囲まれた物体が完全に密閉または包装されることを必ずしも必要としない。
【００１１】
図１は、例示的な実施形態によって形成されたコネクタシステム１００を示す。コネクタシステム１００は、ともに嵌合して互いの間で電気信号を伝送するように構成された第１の電気コネクタ１０２および第２の電気コネクタ１０４を含む。図示の実施形態では、第１の電気コネクタ１０２はオスコネクタであり、第２の電気コネクタ１０４はメスコネクタであり、したがって嵌合動作中、第１の電気コネクタ１０２の一部分が、第２の電気コネクタ１０４の空洞１０６内に受け取られる。より具体的には、第１のコネクタ１０２のオスハウジング１０８（たとえば、円錐形頭部）が、メスコネクタ１０４のメスハウジング１１０によって画定された空洞１０６内に受け取られる。
図１では嵌合されていない状態で示されているが、第１のコネクタ１０２および第２のコネクタ１０４は、嵌合軸１１２に沿って嵌合することができる状態である。本明細書では、第１の電気コネクタ１０２をオスコネクタ１０２または相手コネクタ１０２と呼び、第２の電気コネクタ１０４をメスコネクタ１０４または単にコネクタ１０４と呼ぶ。
【００１２】
コネクタシステム１００は、自動車業界、家庭用電気機器業界、航空機業界などの様々な業界にわたって多数の適用分野で、２つ以上のデバイスおよび／または電気構成要素を電気的に結合するために使用することができる。たとえば、自動車業界では、電気コネクタ１０２、１０４は、無線周波通信のために、アンテナをコントローラおよび／または処理デバイスに電気的に接続するためなどに使用することができる。
【００１３】
オスコネクタ１０２およびメスコネクタ１０４はそれぞれ、異なる電気構成要素に電気的に接続されて、対応する電気構成要素間に導電経路を提供する。図示の実施形態では、オスコネクタ１０２およびメスコネクタ１０４は、同軸ケーブルなどの対応する導電ケーブルまたはワイヤ１１４、１１６に電気的に接続される。代替実施形態では、オスコネクタ１０２および／またはメスコネクタ１０４は、対応する回路基板に取り付けることができる（たとえば、エッジマウント）。ケーブル１１４は、オスコネクタ１０２の電気コンタクトに電気的に終端される（たとえば、圧着、はんだ付けなど）。ケーブル１１６は、メスコネクタ１０４の電気コンタクトに電気的に終端される。
オスコネクタ１０２の電気コンタクトは、コネクタ１０２、１０４が嵌合されるとき、メスコネクタ１０４の電気コンタクトに係合する。コネクタ１０２、１０４を通ってケーブル１１４とケーブル１１６との間で、電力、制御メッセージ、データなどを伝える様々な電気信号を伝送することができる。
【００１４】
図示の実施形態では、オスコネクタ１０２およびメスコネクタ１０４はどちらも、一列に並んだ形状を有する。たとえば、オスコネクタ１０２が空洞１０６内へ装入される嵌合軸１１２は、オスコネクタ１０２から出るケーブル１１４およびメスコネクタ１０４から出るケーブル１１６の向きに対して略平行である。代替実施形態では、オスコネクタ１０２および／またはメスコネクタ１０４は、直角の形状を有することもできる。
【００１５】
図示の実施形態では、オスコネクタ１０２およびメスコネクタ１０４は、ＦＡＫＲＡ自動車専門家グループによって確立された均一のコネクタシステムのための標準に準拠するインターフェースを有するＲＦコネクタであるＦＡＫＲＡコネクタを構成する。ＦＡＫＲＡコネクタは、自動車適用分野の高い機能および安全要件を満たす標準化されたキーイングシステムおよびロックシステムを有する。ＦＡＫＲＡコネクタは、５０、７５、９３、および／または１２５オームなどの特有のインピーダンスで動作するように設計されたスナップオン結合を特徴とする超小型版Ｂコネクタ（ＳＭＢコネクタ）に基づいている。コネクタシステム１００は、本明細書に記載するＦＡＫＲＡコネクタ以外の他のタイプのコネクタを利用することもできる。
【００１６】
嵌合中、オスコネクタ１０２の前端１２６が、嵌合軸１１２に沿って動かされ、メスコネクタ１０４の前端１２８を通ってメスコネクタ１０４の空洞１０６内へ差し込まれる。本明細書では、「前」、「後」、「上」、または「下」などの相対的または空間的な用語は、参照する要素を区別するためだけに使用されており、コネクタシステム１００の周囲環境に対する特定の位置または向きを必ずしも必要とするものではない。オスコネクタ１０２は、１つまたは複数のキーイング機構１１８を有し、メスコネクタ１０４は、オスコネクタ１０２のキーイング機構１１８と相補形をなす１つまたは複数のキーイング機構１２０を有する。図示の実施形態では、キーイング機構１１８はリブであり、キーイング機構１２０は、リブ１１８を受け取るチャネルである。任意の数のキーイング機構１１８、１２０を設けることができる。
キーイング機構１１８、１２０は、ＦＡＫＲＡコネクタの標準化された設計の一部とすることができる。たとえば、キーイングリブ１１８およびキーイングチャネル１２０は、各コネクタ１０２、１０４と１つまたは複数の特有の相手コネクタとの嵌合性を制限するように構成することができる。
【００１７】
オスコネクタ１０２は、２つのコネクタ１０２、１０４間の嵌合接続を保持する（コネクタ１０２、１０４の望ましくない嵌合解除を制限することによる）ために、メスコネクタ１０４の相補形の掛止機構１２４に係合するように構成された掛止機構１２２を有する。図示の実施形態では、掛止機構１２２は止め面であり、掛止機構１２４は、コネクタ１０２、１０４がともに嵌合されるときに止め面１２２に係合する撓み性のラッチである。ラッチ１２４は、オスコネクタ１０２およびメスコネクタ１０４を切り離すために、止め面１２２の上で持ち上げられまたは旋回されるように構成される。
【００１８】
図２は、一実施形態によるメスコネクタ１０４およびケーブル１１６の分解図である。メスコネクタ１０４は、メスハウジング１１０（本明細書では、外側ハウジング１１０とも呼ぶ）およびコンタクトアセンブリ１３０を含む。コンタクトアセンブリ１３０は、外側ハウジング１１０内に保持される。コンタクトアセンブリ１３０は、中央コンタクト１３２、誘電体１３４、外側コンタクト１３６、キャビティインサート１３８、および任意選択のフェルール１４０を含む。他の実施形態では、メスコネクタ１０４は、１つまたは複数の追加の構成要素を含んでもよく、かつ／または記載の構成要素をすべて含まなくてもよい。
【００１９】
ケーブル１１６は、誘電体層１７２によって取り囲まれた中央導体１７０（たとえば、１つまたは複数のワイヤ）を有する同軸ケーブルとすることができる。ケーブル編組１７４が、誘電体層１７２を取り囲む。ケーブル編組１７４は、ケーブル１１６の長さに沿って中央導体１７０に対する遮蔽を提供する。ケーブルジャケット１７６が、ケーブル編組１７４を取り囲み、ケーブル編組１７４、誘電体層１７２、および中央導体１７０に対して、外力および汚染物質からの保護を提供する。ケーブル１１６は、圧着、はんだ付けなどを介してコンタクトアセンブリ１３０に電気的に接続するように構成される。
【００２０】
図示の実施形態では、コンタクトアセンブリ１３０の中央コンタクト１３２は、オスコネクタ１０２（図１に示す）のピンコンタクトを受け取って電気的に係合するように構成されたソケットコンタクトを構成する。別法として、中央コンタクト１３２は、ピンコンタクトまたは別のタイプのコンタクトとすることができる。中央コンタクト１３２は、１つまたは複数の金属などの導電材料から構成される。中央コンタクト１３２は、圧着などを介してケーブル１１６の中央導体１７０に終端される。
【００２１】
誘電体１３４は、中央コンタクト１３２を取り囲む。たとえば、誘電体１３４は、中央コンタクト１３２を受け取る通路１４２を画定する。誘電体１３４は、１つまたは複数のプラスチックなどの誘電体材料から構成される。誘電体１３４は、中央コンタクト１３２と外側コンタクト１３６との間に延びて２つのコンタクト１３２、１３６を互いに電気的に絶縁するように構成される。
【００２２】
外側コンタクト１３６は、誘電体１３４と、誘電体１３４内に位置する中央コンタクト１３２とを取り囲む。外側コンタクト１３６は、１つまたは複数の金属などの導電材料から構成される。外側コンタクト１３６は、中央コンタクト１３２に対して、電磁干渉または無線周波干渉などからの遮蔽を提供する。外側コンタクト１３６は、ケーブル１１６のケーブル編組１７４に電気的に接続するように構成される。
【００２３】
外側コンタクト１３６は、前端１４４と後端１４６との間に延びており、外側コンタクト１３６を通って前端１４４と後端１４６との間に延びるチャンバ１４８を画定する。誘電体１３４は、チャンバ１４８内に受け取られており、中央コンタクト１３２に終端されたケーブル１１６が、外側コンタクト１３６の後端１４６から突出する。外側コンタクト１３６は、略円筒形または樽形の形状を有する。一実施形態では、外側コンタクト１３６は、１枚の薄板金属を打ち抜き、次いで圧延することによって、円筒形の形状に打ち抜きおよび形成される。
【００２４】
外側コンタクト１３６は、前端１４４から後方へ延びる嵌合部１５０と、後端１４６から前方へ延びる終端部１５２とを含む。嵌合部１５０は、オスコネクタ１０２（図１に示す）などの相手コネクタの外側相手コンタクト（図示せず）に係合するように構成される。嵌合部１５０は、外側コンタクト１３６の嵌合部１５０と外側相手コンタクトとの間の係合を維持するために、撓み性のビーム、突起、返しなどの１つまたは複数の保持機構１５４を含むことができる。終端部１５２は、ケーブル１１６のケーブル編組１７４に電気的に接続するように構成される。たとえば、ケーブル編組１７４は、終端部１５２を取り囲むことができ、フェルール１４０を介して終端部１５２に圧着することができる。任意選択で、外側コンタクト１３６は、嵌合部１５０と終端部１５２との間に外側コンタクト１３６の長さに沿って中間部１５６を含むことができる。
中間部１５６は、嵌合部１５０および終端部１５２のうちの少なくとも１つとは異なる直径を有することができる。たとえば、図示の実施形態では、中間部１５６は、嵌合部１５０より小さい直径および終端部１５２より大きい直径を有する。外側コンタクト１３６は、少なくとも第１の段１５８および第２の段１６０を画定するように、その長さに沿って段が付けられている。第１の段１５８は、嵌合部１５０を中間部１５６から分離する。第２の段１６０は、中間部１５６を終端部１５２から分離する。終端部１５２がケーブル１１６より大きいケーブルに電気的に接続するように構成される場合など、代替実施形態では、終端部１５２は、中間部１５０より大きい直径を有することができる。
【００２５】
キャビティインサート１３８は、外側コンタクト１３６の少なくとも一部分を取り囲む。キャビティインサート１３８は、前端１６２と後端１６４との間に延びており、キャビティインサート１３８を通って前端１６２と後端１６４との間に延びるチャネル１６６を画定する。外側コンタクト１３６は、チャネル１６６内に保持される。一実施形態では、キャビティインサート１３８は、外側コンタクト１３６の中間部１５６を取り囲み、したがってキャビティインサート１３８の内面１６８が、中間部１５６に係合する。キャビティインサート１３８は、任意選択で、嵌合部１５０および／または終端部１５２の少なくとも一部分を取り囲むことができる。キャビティインサート１３８の内面１６８は、第１の段１５８および／または第２の段１６０に係合することができる。キャビティインサート１３８は、外側コンタクト１３６をチャネル１６６内で軸方向に固定するように構成され、したがって外側コンタクト１３６は、キャビティインサート１３８に対して軸方向に動かないようになっている。
任意選択で、キャビティインサート１３８は、外側コンタクト１３６がキャビティインサート１３８に対して回転できないようにする。キャビティインサート１３８は、外側ハウジング１１０に係合して、コンタクトアセンブリ１３０をハウジング１１０の空洞１０６内で固定された軸方向位置で保持するように構成されたアダプタである。たとえば、キャビティインサート１３８は、キャビティインサート１３８の周囲に沿って円周方向に延びる少なくとも１つのフランジ１８６を含むことができる。フランジ１８６は、空洞１０６内で外側ハウジング１１０に係合してコンタクトアセンブリ１３０の軸方向位置を固定するように構成される。
【００２６】
フェルール１４０は、ケーブル１１６の上で外側コンタクト１３６の終端部１５２に圧着するように構成される。フェルール１４０は、外側コンタクト１３６に対する編組１７４の電気的終端およびケーブル１１６に対する張力緩和を提供する。例示的な実施形態では、フェルール１４０は、ケーブル１１６のケーブル編組１７４とケーブルジャケット１７６との両方に圧着するように構成される。
【００２７】
メス外側ハウジング１１０は、前端１２８と後端１２９との間に延びる。外側ハウジング１１０は、略箱形の外側プロファイルを有する。外側ハウジング１１０の空洞１０６は、外側ハウジング１１０を通って延びる略円筒形の孔とすることができる。空洞１０６は、空洞１０６内でキャビティインサート１３８に係合してそれを固定するように形成された段、肩部、および／またはチャネルを有することができる。
【００２８】
一実施形態では、外側ハウジング１１０は、ハウジング１１０の側壁１８４内の開口を通って延びる保持クリップ１８２を受け取るように構成される。保持クリップ１８２は、コンタクトアセンブリ１３０に続いてハウジング１１０内へ装入されコンタクトアセンブリ１３０をハウジング１１０に固定するように構成される。たとえば、保持クリップ１８２は、キャビティインサート１３８の１つまたは複数のフランジ１８６に係合して、空洞１０６内でコンタクトアセンブリ１３０の軸方向位置を固定することができる。
【００２９】
図２ではメスコネクタ１０４について図示および説明するが、オスコネクタ１０２（図１に示す）も、メスコネクタ１０４の構成要素に類似および／または同一の構成要素を有することができる。たとえば、オスコネクタ１０２は、オスハウジング１０８（図１に示す）内に受け取られたコンタクトアセンブリを含むことができる。オスコネクタ１０２のコンタクトアセンブリは、図２に説明するコンタクトアセンブリ１３０の構成要素に少なくとも類似している中央コンタクト、誘電体、外側コンタクト、およびキャビティインサートを含むことができる。たとえば、オスコネクタ１０２は、以下に図示および説明するメスコネクタ１０４のキャビティインサート１３８に類似しているキャビティインサートを含むことができる。
【００３０】
一実施形態では、キャビティインサート１３８は、第１のシェル１８８および第２のシェル１９０を含むツーピース構造から形成される。第１のシェル１８８および第２のシェル１９０は、離れた個別部分であり、ともに結合されて、キャビティインサート１３８を画定する。たとえば、第１のシェル１８８は、外側コンタクト１３６の周囲の一部分に沿って延び、第２のシェル１９０は、外側コンタクト１３６の周囲の残り部分に沿って延びる。第１のシェル１８８および第２のシェル１９０は、境界面１９４で互いに係合して、図２に示す組み立てられた完全な状態のキャビティインサート１３８を形成する。
【００３１】
図３は、一実施形態によるメスコネクタ１０４のコンタクトアセンブリ１３０の斜視分解図である。図示の実施形態では、誘電体１３４内の中央コンタクト１３２（図２に示す）を見ることはできない。コンタクトアセンブリ１３０は、垂直または仰角軸１９１、横軸１９３、および嵌合軸１１２に対して向けられている。軸１９１、１９３、１１２は、相互に直交している。仰角軸１９１が、重力に対して略平行に延びているように見えるが、軸１９１、１９３、１１２は、重力に対していかなる特定の向きも有する必要がないことが理解される。図３で、第１のシェル１８８は、（垂直軸１９１に沿って）外側コンタクト１３６の上に延び、第２のシェル１９０は、外側コンタクト１３６の下に配置される。本明細書では、第１のシェル１８８を上部シェル１８８と呼び、第２のシェル１９０を下部シェル１９０と呼ぶ。
上述したように、「上部」および「下部」という用語は、参照する要素を区別するためだけに使用されており、メスコネクタ１０４の周囲環境に対する特定の位置または向きを必ずしも必要とするものではない。したがって、コンタクトアセンブリ１３０を１８０度回転させた場合、上部シェル１８８が下部シェル１９０の下に位置することもできる。
【００３２】
任意選択で、キャビティインサート１３８が外側コンタクト１３６の周りに組み立てられるとき、外側コンタクト１３６は、金属キャリアストリップ１９６に接続されている。外側コンタクト１３６の終端部１５２は、キャリアストリップ１９６に機械的に接続されている。キャリアストリップ１９６が終端部１５２に接続されているため、事前に組み立てられたキャビティインサート１３８は、外側コンタクト１３６を取り囲むように終端部１５２の上に受け取ることができない。キャビティインサート１３８のチャネル１６６（図２に示す）は、嵌合部１５０より直径が小さいことがあり、したがってキャビティインサート１３８を嵌合部１５０の上に装着することもできない。したがって、事前に組み立てられたキャビティインサート１３８は、外側コンタクト１３６を取り囲むことができないはずである。
図示の実施形態では、キャビティインサート１３８がツーピース構造を有するため、キャビティインサート１３８は、外側コンタクト１３６の周りに組み立てることができる。たとえば、キャビティインサート１３８は、外側コンタクト１３６の周りにその場で組み立てられ、したがって外側コンタクト１３６は、２つのシェル１８８、１９０がともに結合されるときに２つのシェル１８８、１９０間に配置される。
【００３３】
任意選択で、上部シェル１８８および下部シェル１９０はそれぞれ、それぞれのプラスチックキャリアストリップ１９８に接続することができる。キャリアストリップ１９８は、横軸１９３に沿ってそれぞれのシェル１８８、１９０から外方に延びるリンク２００を含む。リンク２００は、シェル１８８、１９０が外側コンタクト１３６を取り囲んで互いに結合される前または後に、シェル１８８、１９０から分離することができる。一実施形態では、シェル１８８、１９０はそれぞれ、１つまたは複数のプラスチックなどの誘電体材料から構成される。シェル１８８、１９０は、成形プロセスによって形成することができる。キャリアストリップ１９８は、それぞれのシェル１８８、１９０とともに、同じ成形プロセス中に形成することができる。
一実施形態では、上部シェル１８８は、一体型の本体２０２を有し、下部シェル１９０は、一体型の本体２０４を有する。したがって、シェル１８８、１９０を互いに結合するために使用される上部シェル１８８および下部シェル１９０に位置する掛止機構は、シェル１８８、１９０のそれぞれの本体２０２、２０４に一体形成することができる。別法として、シェル１８８、１９０を形成した後、接合、接着、締結などを介して、１つまたは複数の掛止機構または他の構成要素を、対応するシェル１８８、１９０に取り付けることもできる。
【００３４】
上部シェル１８８の本体２０２は、第１の縁部２０６と第２の縁部２０８との間で湾曲している。第１の縁部２０６は、第２の縁部２０８から横方向に隔置される。上部シェル１８８は、嵌合軸１１２に沿って前端２１０と後端２１２との間で長手方向に延びる。第１の縁部２０６および第２の縁部２０８は、上部シェル１８８の長さにわたって前端２１０と後端２１２との間に延びる。湾曲した本体２０２は、内面２１４および外面２１６を含む。内面２１４は、キャビティインサート１３８が組み立てられたとき、チャネル１６６（図２に示す）の一部分を画定する。外面２１６は、組み立てられたキャビティインサート１３８の外周の一部分を画定する。
一実施形態では、上部シェル１８８の本体２０２は、組み立てられたキャビティインサート１３８の外周の約２分の１を画定するが、他の実施形態では、キャビティインサート１３８の外周の２分の１より大きいまたは小さい部分を画定することができる。図３に示す向きにおいて、本体２０２は、本体２０２から延びるリンク２００に対して凸状の曲線を有し、したがって本体２０２は、縁部２０６、２０８から上方へ弧を描く。
【００３５】
上部シェル１８８は、上部シェル１８８を下部シェル１９０に結合するために使用される掛止構成要素を含む。たとえば、図示の実施形態では、上部シェル１８８は、上部シェル１８８の第１の縁部２０６を越えて下部シェル１９０の方へ延びるストラップ２１８を含む。ストラップ２１８は、第１の縁部２０６から略垂直方向下方へ延びる。ストラップ２１８は、下部シェル１９０の対応する止め面２８４に係合して上部シェル１８８を下部シェル１９０に結合するように構成された掛止面２２０を含む。上部シェル１８８はまた、上部シェル１８８の長さに沿って隔置された複数の止め面２２２を含む。止め面２２２はそれぞれ、下部シェル１９０の対応するストラップ２４８の掛止面２５０に係合するように構成される。
図示の実施形態では、上部シェル１８８は、前端２１０に近接している第１の止め面２２２Ａと、後端２１２に近接している第２の止め面２２２Ｂと、軸方向に第１の止め面２２２Ａと第２の止め面２２２Ｂとの間に配置された第３の止め面２２２Ｃとを含む３つの止め面２２２を含む。３つの止め面２２２Ａ〜Ｃはすべて、外面２１６に沿って上部シェル１８８の第２の縁部２０８に近接して配置される。代替実施形態では、上部シェル１８８は、第２の縁部２０８に近接して３つ以外の止め面２２２を含むこともできる。
【００３６】
図示の実施形態では、上部シェル１８８の止め面２２２は、外面２１６から径方向外方に突出するそれぞれのタブ２２４のフック面によって画定される。タブ２２４は、組み立てられたキャビティインサート１３８のフランジ１８６（図２に示す）の一部分を画定する対応するフランジ部２２６と位置合わせすることができる。上部シェル１８８の外面２１６は、第２の縁部２０８に近接している１つまたは複数の平面領域２２８を含むことができる。外面２１６は、平面領域２２８に沿って、湾曲しているのではなく、平坦または平面である。止め面２２２は、平面領域２２８に沿って配置される。たとえば、タブ２２４は、外面２１６の平面領域２２８から径方向外方に突出する。
【００３７】
下部シェル１９０の本体２０４は、互いに対して横方向に隔置された第１の縁部２３６と第２の縁部２３８との間で湾曲している。下部シェル１９０は、嵌合軸１１２に沿って前端２４０と後端２４２との間で長手方向に延びる。第１の縁部２３６および第２の縁部２３８は、下部シェル１９０の長さにわたって前端２４０と後端２４２との間に延びる。湾曲した本体２０４は、内面２４４および外面２４６を含む。内面２４４は、チャネル１６６（図２に示す）の一部分を画定し、上部シェル１８８の内面２１４は、キャビティインサート１３８が組み立てられたとき、チャネル１６６の残り部分を画定する。外面２４６は、組み立てられたキャビティインサート１３８の外周の一部分を画定し、したがって上部シェル１８８および下部シェル１９０の外面２１６、２４６が、キャビティインサート１３８の外周全体を画定する。
図３に示す向きにおいて、本体２０４は、本体２０４から延びるリンク２００に対して凹状の曲線を有し、したがって本体２０４は、縁部２３６、２３８から下方へ弧を描く。
【００３８】
下部シェル１９０は、下部シェル１９０を上部シェル１８８に結合するために使用される掛止構成要素を含む。たとえば、図示の実施形態では、下部シェル１９０は、下部シェル１９０の第１の縁部２３６を越えて上部シェル１８８の方へ延びる複数のストラップ２４８を含む。ストラップ２４８は、第１の縁部２３６から略垂直方向上方へ延びる。ストラップ２４８はそれぞれ、上部シェル１８８の対応する止め面２２２に係合して上部シェル１８８および下部シェル１９０を結合するように構成された掛止面２５０を含む。図示の実施形態では、下部シェル１９０は、前端２４０に近接している第１のストラップ２４８Ａと、後端２４２に近接している第２のストラップ２４８Ｂと、軸方向に第１のストラップ２４８Ａと第２のストラップ２４８Ｂとの間に配置された第３のストラップ２４８Ｃとを含む３つのストラップ２４８を含む。
シェル１８８、１９０が結合されたとき、第１のストラップ２４８Ａ、第２のストラップ２４８Ｂ、および第３のストラップ２４８Ｃの掛止面２５０は、上部シェル１８８の第１の止め面２２２Ａ、第２の止め面２２２Ｂ、および第３の止め面２２２Ｃにそれぞれ位置合わせされて係合する。下部シェル１９０の３つのストラップ２４８Ａ〜Ｃはすべて、下部シェル１９０の第１の縁部２３６に沿って配置される（第１の縁部２３６から延びる）。代替実施形態では、下部シェル１９０は、第１の縁部２３６に沿って、合計３つ以外のストラップ２４８および／または３つ以外のストラップ２４８を含むこともできる。
【００３９】
ストラップ２４８Ａ〜Ｃは、互いに同じまたは類似のサイズおよび形状を有することができる。各ストラップ２４８は、第１の縁部２３６を越えてまたは第１の縁部２３６からそれぞれの自由端２５２へ突出するカンチレバービームまたはリム（ｌｉｍｂ）である。ストラップ２４８は、少なくとも半剛性であり、したがってストラップ２４８は、ストラップ２４８にかかる撓む力が除去されたとき、最初の静止位置の方へ撓んで弾性的に戻ることが可能である。各ストラップ２４８は、チャネル１６６（図２に示す）の方を向いている内側面２５４と、チャネル１６６から反対向きに外方を向いている反対側の外側面２５６とを含む。内側面２５４は、ほぼ平面とすることができ、外側面２５６は、湾曲させることができる。一実施形態では、ストラップ２４８はそれぞれ、それぞれのストラップ２４８を通って内側面２５４と外側面２５６との間に延びる開口２５８を画定する。
開口２５８は、ストラップ２４８のうち第１の縁部２３６を越えて延びる部分に沿って画定される。掛止面２５０は、開口２５８の遠位壁である。遠位壁２５０は、それぞれのストラップ２４８の自由端２５２に近接している。遠位壁２５０は、略垂直方向下方および／またはストラップ２４８がそこから延びる第１の縁部２３６の方を向くことができる。代替実施形態では、開口２５８は、それぞれのストラップ２４８を完全に貫通するのではなく、ストラップ２４８の内側面２５４に沿って画定された凹部またはくぼみである。そのような代替実施形態では、掛止面２５０は、凹部の遠位壁とすることができる。
【００４０】
図３には示されていないが、一実施形態では、下部シェル１９０は、第２の縁部２３８に近接して外面２４６から延びる少なくとも１つの止め面２８４（図４に示す）を含む。止め面２８４は、形状、サイズ、および／または機構に関して上部シェル１８８の止め面２２２に類似したものとすることができる。加えて、図３では部分的にしか見ることができないが、上部シェル１８８のストラップ２１８は、任意選択で、形状、サイズ、および／または機構に関して、下部シェル１９０のストラップ２４８に実質上類似のものとすることができる。一実施形態では、上部シェル１８８と下部シェル１９０はどちらも両性型であり、したがって各シェル１８８、１９０が、少なくとも１つの止め面と、掛止面を含む少なくとも１つのストラップとを含む。
代替実施形態では、シェル１８８、１９０は両性型ではなく、したがって上部シェル１８８は、ストラップ２１８のみまたは止め面２２２のみを含み、下部シェル１９０は、複数の止め面２８４のみまたは複数のストラップ２４８のみなど、相補形の掛止機構のみを含む。
【００４１】
図３に示すように、上部シェル１８８および下部シェル１９０それぞれのストラップ２１８、２４８は、シェル１８８、１９０のそれぞれの第１の縁部２０６、２３６に沿って配置される。ストラップ２１８、２４８は、それぞれの第２の縁部２０８、２３８に沿って位置しない。さらに、それぞれの止め面２２２、２８４（図４に示す）は、シェル１８８、１９０の第２の縁部２０８、２３８に近接して配置されるが、第１の縁部２０６、２３６には近接していない。しかし、１つまたは複数の代替実施形態では、上部シェル１８８が、第１の縁部２０６および第２の縁部２０８のそれぞれに沿って配置された少なくとも１つのストラップ２１８、ならびに／または第１の縁部２０６および第２の縁部２０８のそれぞれに近接している少なくとも１つの止め面２２２を含むこともできる。
同様に、代替実施形態では、下部シェル１９０が、第１の縁部２３６および第２の縁部２３８のそれぞれに沿って配置された少なくとも１つのストラップ２４８、ならびに／または第１の縁部２３６および第２の縁部２３８のそれぞれに近接している少なくとも１つの止め面２８４を含むこともできる。
【００４２】
一実施形態では、上部シェル１８８および下部シェル１９０は、同一の形状を有する。たとえば、上部シェル１８８のサイズ、輪郭、および機構は、下部シェル１９０のサイズ、輪郭、および機構と同一である。上部シェル１８８および下部シェル１９０は、同じまたは同一のプロセスで形成することなどによって、同じプロセスを介して形成することができる。したがって、上部シェル１８８と下部シェル１９０はどちらも、単一の成形型のみを使用して形成することが可能であり、製造コストを低減させることができる。図示の実施形態では、下部シェル１９０は、嵌合軸１１２の周りで上部シェル１８８に対して１８０度に向けられている。たとえば、上部シェル１８８が下部シェル１９０と同一であるため、図３に見ることができる上部シェル１８８のストラップ２１８は、下部シェル１９０の第１のストラップ２４８Ａと同じである。
本明細書では、「同一」という用語の使用は、一方または両方のシェル１８８、１９０が、両方のシェル１８８、１９０によって共有されない不完全性、欠陥、および他の些細な不規則性（たとえば、製造プロセスまたはその後の取扱いに起因する）を有してもよいと認識する。
【００４３】
図３に示すように、外側コンタクト１３６は、外側コンタクト１３６の中間部１５６から径方向外方に延びる突起２６０を含むことができる。下部シェル１９０は、内面２４４に沿ってくぼみ２６２を画定する。くぼみ２６２は、上部シェル１８８および下部シェル１９０が結合されてキャビティインサート１３８内に外側コンタクト１３６を固定するとき、突起２６０を受け取る。図３に示すように、下部シェル１９０は、２つのくぼみ２６２を画定し、一方のくぼみ２６２は、第１の縁部２３６に近接しており、他方のくぼみ２６２は、第２の縁部２３８に近接している。図示の実施形態では、外側コンタクト１３６および下部シェル１９０の向きに基づいて、突起２６０が、第１の縁部２３６に近接しているくぼみ２６２内に受け取られており、中間部１５６の別の突起（図示せず）は、第２の縁部２３８に近接している他方のくぼみ２６２内に受け取ることができる。
突起２６０を対応するくぼみ２６２内に受け取ることで、外側コンタクト１３６をキャビティインサート１３８に対して軸方向および回転方向にロックまたは固定することができる。図示しないが、上部シェル１８８は、くぼみ２６２と境界面を接する１つまたは複数のくぼみを画定して、より大きい凹部を画定することができる。代替実施形態では、中間部１５６が、へこみを画定することができ、キャビティインサート１３８は、このへこみの中へ延びるように構成された突起を含むことができる。加えて、キャビティインサート１３８は、外側コンタクト１３６の第１の段１５８および／もしくは第２の段１６０または外側コンタクト１３６の１つもしくは複数の他の部分との係合を介して、外側コンタクト１３６の軸方向位置を固定することができる。
【００４４】
図４は、一実施形態による組み立てられた状態にあるコンタクトアセンブリ１３０の側面斜視図である。図４では、キャビティインサート１３８が完成されており、したがって上部シェル１８８が下部シェル１９０に結合されて、外側コンタクト１３６を取り囲んでいる。キャビティインサート１３８の図示の実施形態は、キャビティインサート１３８がキャビティインサート１３８の長さに沿って３つではなく２つの掛止機構のみを含むため、図３に示す実施形態とはわずかに異なる。キャビティインサート１３８は、前端２６４と後端２６６との間に延びる。前端２６４は、上部シェル１８８の前端２１０および下部シェル１９０の前端２４０によって画定される。後端２６６は、上部シェル１８８および下部シェル１９０のそれぞれの後端２１２、２４２によって画定される。図示の実施形態では、上部シェル１８８は、キャビティインサート１３８の前端２６４に近接している第１のストラップ２１８Ａと、後端２６６に近接している第２のストラップ２１８Ｂとを含む。
第２のストラップ２１８Ｂは、第１のストラップ２１８Ａと同一でありまたは類似している。ストラップ２１８Ａ、２１８Ｂはどちらも、シェル１８８、１９０の間に画定された境界面１９４を横切って延びて、下部シェル１９０の対応する止め面２８４Ａ、２８４Ｂに係合する。シェル１８８、１９０間の境界面１９４は、上部シェル１８８の第１の縁部２０６と下部シェル１９０の第２の縁部２３８との間に第１の継ぎ目２６８を画定する。第１の継ぎ目２６８は、キャビティインサート１３８の長さにわたって延びる。ストラップ２１８Ａ、２１８Ｂは、第１の継ぎ目２６８を横切って延びる。ストラップ２１８Ａ、２１８Ｂは、下部シェル１９０の外面２４６のうち止め面２８４Ａ、２８４Ｂに近接している部分と重複する。図４では見ることができないが、境界面１９４はまた、キャビティインサート１３８の長さにわたって上部シェル１８８の第２の縁部２０８と下部シェル１９０の第１の縁部２３６との間に延びる第２の継ぎ目２７０（図６に示す）を画定する。
【００４５】
図５は、図２に示す線５−５に沿って切り取ったキャビティインサート１３８の分解断面図である。上部シェル１８８は、下部シェル１９０に結合することができる状態である。図示の実施形態では、上部シェル１８８の湾曲した本体２０２は、第１の縁部２０６に位置する第１の肩部２７２と、第２の縁部２０８に位置する第２の肩部２７４とを含む。肩部２７２、２７４は、それぞれの縁部２０６、２０８から内方に延びる略平面である。上部シェル１８８のストラップ２１８は、第１の肩部２７２に近接して配置され、第１の肩部２７２を越えて延びる。図示の実施形態では、ストラップ２１８は、肩部２７２から外方に配置され、したがって肩部２７２は縁部２０６から内方に延び、ストラップ２１８は縁部２０６から外方へ延びる。上部シェル１８８の止め面２２２は、第２の肩部２７４に近接して外面２１６の平面領域２２８に沿って配置される。
【００４６】
ストラップ２１８は、本体２０２に位置する固定端２７６から自由端３０２へ延びる。固定端２７６は、第１の縁部２０６に位置することができ、または上部シェル１８８の外面２１６の周囲に沿って第１の縁部２０６から隔置することができる。ストラップ２１８は、ストラップ２１８を通って延びる開口２７８を画定する。開口２７８は、下部シェル１９０のストラップ２４８を通って延びる開口２５８に類似している。開口２７８は、ストラップ２１８の先端部２８０と第１の縁部２０６との間に画定することができる。先端部２８０は、自由端３０２を含む。先端部２８０はまた、掛止面２２０を含む。たとえば、掛止面２２０は、開口２７８の遠位壁とすることができる。
【００４７】
上部シェル１８８の止め面２２２は、外面２１６から外方に突出するタブ２２４のフック面である。一実施形態では、フック面２２２は、タブ２２４の上の平面領域２２８に対して鋭角を有することができる。たとえば、フック面２２２は、垂直軸１９１に沿って縁部２０８から少なくともわずかに離れて延びるように傾斜している。代替実施形態では、フック面２２２は、平面領域２２８に直交して延びることができる。図示の実施形態では、タブ２２４は、第２の縁部２０８からの距離が増大するにつれて外面２１６の平面領域２２８から離れて外方に傾斜する斜面２８２を含む。図示の実施形態では、斜面２８２は、第２の縁部２０８から延びるが、他の実施形態では、タブ２２４は、縁部２０８から隔置することもできる。フック面２２２は、斜面２８２に対してタブ２２４の反対側に配置される。
【００４８】
下部シェル１９０の湾曲した本体２０４は、第１の縁部２３６に位置する第１の肩部２９２と、第２の縁部２３８に位置する第２の肩部２９４とを含む。肩部２９２、２９４は、それぞれの縁部２３６、２３８から内方に延びる略平面である。下部シェル１９０のストラップ２４８は、第１の肩部２９２に近接して配置され、第１の肩部２９２を越えて延びる。下部シェル１９０の止め面２８４は、第２の肩部２９４に近接して外面２４６の平面領域２８６に沿って配置される。
【００４９】
図示の実施形態では、下部シェル１９０は、上部シェル１８８と同一である。たとえば、図５に示す下部シェル１９０は、下部シェル１９０を１８０度時計回り（または反時計回り）に回転させた場合、上部シェル１８８と位置合わせされるはずである。したがって、下部シェル１９０の掛止機構は、上部シェル１８８の掛止機構と同一の形状を有しており、本明細書では詳細に説明しない。たとえば、ストラップ２４８は、ストラップ２１８と同一とすることができ、止め面２８４は、タブ２２４と同一であるタブ２９６のフック面とすることができる。
【００５０】
上部シェル１８８および下部シェル１９０を結合するために、シェル１８８、１９０は、結合軸２９８に沿って互いの方へ動かされる。上部シェル１８８のストラップ２１８の遠位端３０２は、下部シェル１９０の平面領域２８６に沿ってかつ／または平面領域２８６に対して平行に動き、タブ２９６の斜面３００に係合する。ストラップ２１８は、タブ２９６に沿って摺動し、図５に示すストラップ２１８の自然の静止位置から径方向外方に撓む。遠位端３０２は、掛止面２２０がタブ２９６のフック面２８４を通過するまで、タブ２９６に沿って摺動する。掛止面２２０がフック面２８４を通過した後、タブ２９６は、ストラップ２１８の自然の静止位置の方へ径方向内方に弾性的に動くことが可能になる。
その間、ストラップ２４８の遠位端２５２は、ストラップ２１８がタブ２９６に係合してその周りで撓むのと同じように、タブ２２４の斜面２８２に係合し、タブ２２４の周りで撓む。
【００５１】
図６は、線５−５に沿って切り取ったキャビティインサート１３８および外側コンタクト１３６の組立て断面図である。組み立てられた状態で、上部シェル１８８の第１の縁部２０６は、下部シェル１９０の第２の縁部２３８と位置合わせされ、ストラップ２１８の掛止面２２０は、タブ２９６のフック面２８４に係合する。さらに、上部シェル１８８の第２の縁部２０８は、下部シェル１９０の第１の縁部２３６と位置合わせされ、ストラップ２４８の掛止面２５０は、タブ２２４のフック面２２２に係合する。任意選択で、掛止面２２０、２５０と、対応するフック面２２２、２８４との間に、わずかな隙間が存在してもよい。上部シェル１８８の第１の肩部２７２は、下部シェル１９０の第２の肩部２９４に対向して係合することができ、上部シェル１８８の第２の肩部２７４は、下部シェル１９０の第１の肩部２９２に対向して係合することができる。
任意選択で、上部シェル１８８の肩部２７２、２７４と下部シェル１９０の対応する肩部２９４、２９２との間に、わずかな間隙３０６が存在してもよい。境界面１９４は、肩部２７２、２７４、２９２、２９４間に画定することができる。たとえば、境界面１９４の第１の継ぎ目２６８は、肩部２７２と肩部２９４との間に画定され、第２の継ぎ目２７０は、肩部２７４と肩部２９２との間に画定される。ストラップ２１８は、上部シェル１８８から第１の継ぎ目２６８を横切って延び、下部シェル１９０のタブ２９６に係合する。ストラップ２４８は、下部シェル１９０から第２の継ぎ目２７０を横切って延び、上部シェル１８８のタブ２２４に係合する。
【００５２】
図６に示すように、外側コンタクト１３６は、キャビティインサート１３８のチャネル１６６内に配置される。一実施形態では、外側コンタクト１３６は、キャビティインサート１３８の内面１６８に内部支持を提供することによって、キャビティインサート１３８の組み立てられた状態を支持することができる。図示の実施形態では、外側コンタクト１３６の内部支持がなければ、上部シェル１８８を１つの方向３１０に摺動させ、下部シェル１９０を反対の方向３１２に摺動させることによって、上部シェル１８８を下部シェル１９０から結合解除することができなくなる。
したがって、キャビティインサート１３８は、外側コンタクト１３６がチャネル１６６内にない場合、またはチャネル１６６に対して小さすぎる直径を有する場合、キャビティインサート１３８を分解することができるように構成することができ、コンタクトアセンブリ１３０（図２に示す）が適切に組み立てられることを確実にすることができる。
【００５３】
図７は、代替実施形態による組み立てられたキャビティインサート１３８の一部分の断面図である。図７は、上部シェル１８８の止め面２２２に結合された下部シェル１９０のストラップ２４８の掛止面２５０を示す。しかし、止め面２２２は、外面２１６から外方に突出するタブのフック面ではなく、図示の実施形態では、止め面２２２は、外面２１６に沿って画定された凹部３１６の壁である。壁２２２は、外面２１６からチャネル１６６（図６に示す）の方へ内方に延びる。図示の実施形態では、ストラップ２４８の掛止面２５０は、ストラップ２４８の内側面３２０から突出するタブ３１８のフック面である。フック面は、概してストラップ２４８の固定端３２２および／または下部シェル１９０の第１の縁部２３６の方を向いている。タブ３１８は、上部シェル１８８および下部シェル１９０が結合されたとき、凹部３１６内へ延びる。
【００５４】
上記の説明は、限定ではなく例示を意図するものであることを理解されたい。たとえば、前述の実施形態（および／またはそれらの態様）は、互いに組み合わせて使用することができる。加えて、特定の状況または材料を本発明の教示に適合させるために、その範囲から逸脱することなく、多くの修正を加えることができる。本明細書に記載する寸法、材料のタイプ、様々な構成要素の向き、ならびに様々な構成要素の数および位置は、特定の実施形態のパラメータを定義することを意図するものであり、何ら限定的ではなく、単に例示的な実施形態である。特許請求の範囲の精神および範囲内の多くの他の実施形態および修正形態は、上記の説明を読めば、当業者には明らかであろう。したがって、本発明の範囲は、添付の特許請求の範囲を参照して、そのような特許請求の範囲に与えられる完全な均等物の範囲とともに決定されるべきである。
【図１】
2019508859.tif 000003
【図２】
2019508859.tif 000004
【図３】
2019508859.tif 000005
【図４】
2019508859.tif 000006
【図５】
2019508859.tif 000007
【図６】
2019508859.tif 000008
【図７】
2019508859.tif 000009
【国際調査報告】
2019508859.tif 000010
2019508859.tif 000011